(57)【要約】  有酸素運動補助装置１は、使用者が有酸素運動を行っている間に、制御部による制御により、使用者に対して問題を出題し、使用者からの問題に対する回答を入力する入出力部１３１を備える。制御部は、使用者による問題の回答の正答率、及び、使用者による問題の解答のタイミングに基づき、負荷付与駆動部１１０、１２０による負荷を変化させる制御を負荷付与駆動部１１０、１２０に対して行う。
2016203664.tif 000002
【特許請求の範囲】
【請求項１】
使用者の身体の一部又は全体を継続して動かすことにより行われる有酸素運動を使用者に行わせるために、前記身体の一部又は全体の動きに対して抵抗するように、前記身体の一部又は全体へ継続して負荷を与えるように駆動する負荷付与駆動部と、
前記負荷付与駆動部による負荷を変化させる制御を前記負荷付与駆動部に対して行う制御部と、
使用者が前記有酸素運動を行っている間に、前記制御部による制御により、使用者に対して問題を出題し、使用者からの前記問題に対する回答を入力する入出力部と、を備え、
前記制御部は、使用者による前記問題の回答の正答率、及び、使用者による前記問題の解答のタイミングに基づき、前記負荷付与駆動部による負荷を変化させる制御を前記負荷付与駆動部に対して行う有酸素運動補助装置。
【請求項２】
前記負荷付与駆動部及び前記制御部は、エルゴメータを構成する請求項１に記載の有酸素運動補助装置。
【請求項３】
前記制御部は、使用者が前記問題に対して所定の正答率で回答した直後に、前記負荷付与駆動部による負荷を変化させる請求項１又は請求項２に記載の有酸素運動補助装置。
【請求項４】
前記問題は、使用者に認知機能への負荷トレーニングを行わせ、使用者の脳血流量を高めるための認知機能への負荷トレーニング用問題セットを有する請求項１〜請求項３のいずれかに記載の有酸素運動補助装置。
【請求項５】
前記使用者が着座した状態で有酸素運動を行うためのシート部を有し、
前記シート部は、肘掛けを有する請求項１〜請求項４のいずれかに記載の有酸素運動補助装置。
【請求項６】
所定の前記使用者を識別可能な指紋認証装置を有する請求項１〜請求項５のいずれかに記載の有酸素運動補助装置。
【請求項７】
前記使用者に対して芳香を放つ芳香放出部を有する請求項１〜請求項６のいずれかに記載の有酸素運動補助装置。
【請求項８】
前記使用者が着座した状態で有酸素運動を行うためのシート部を有し、
前記シート部は、スライドレールに対して移動可能に前記スライドレールに支持され、前記スライドレールに対する移動／固定の切換えを行う切換え部材を有する請求項１〜請求項７のいずれかに記載の有酸素運動補助装置。
【発明の詳細な説明】
【技術分野】
【０００１】
本発明は、エルゴメータやトレッドミル等の有酸素運動を行う装置であって、有酸素運動をしながら思考することにより、認知機能への負荷トレーニングを行い、脳血流量を高める有酸素運動補助装置に関する。
【背景技術】
【０００２】
痴呆による認知機能低下を改善する認知機能障害改善システムが知られている（例えば、特許文献１）。認知機能障害改善システムでは、エルゴメータが用いられ、バイオフィードバック療法と運動療法を統合した訓練方法により、痴呆による認知機能低下を改善しようとする。
【先行技術文献】
【特許文献】
【０００３】
【特許文献１】特開２００５−１９２６４７号公報
【発明の概要】
【発明が解決しようとする課題】
【０００４】
しかし、従来の認知機能障害改善システムでは、認知機能が低下したか否かの判断として、例えば、長谷川式簡易知能評価スケール（ＨＤＳ−Ｒ）が用いられる等、認知機能の低下の判断は行われるが、積極的に脳血流量を高めることは、効果的に行われていなかった。【０００５】
本発明は、有酸素運動中に積極的に思考を行わせて、認知機能への負荷トレーニングを行い、脳血流量を高めることで、認知機能の低下を抑制する有酸素運動補助装置を提供することを目的とする。
【課題を解決するための手段】
【０００６】
本発明は、使用者の身体の一部又は全体を継続して動かすことにより行われる有酸素運動を使用者に行わせるために、前記身体の一部又は全体の動きに対して抵抗するように、前記身体の一部又は全体へ継続して負荷を与えるように駆動する負荷付与駆動部と、前記負荷付与駆動部による負荷を変化させる制御を前記負荷付与駆動部に対して行う制御部と、使用者が前記有酸素運動を行っている間に、前記制御部による制御により、使用者に対して問題を出題し、使用者からの前記問題に対する回答を入力する入出力部と、を備え、前記制御部は、使用者による前記問題の回答の正答率、及び、使用者による前記問題の解答のタイミングに基づき、前記負荷付与駆動部による負荷を変化させる制御を前記負荷付与駆動部に対して行う有酸素運動補助装置に関する。【０００７】
また、前記負荷付与駆動部及び前記制御部は、エルゴメータを構成することが好ましい。また、前記制御部は、使用者が前記問題に対して所定の正答率で回答した直後に、前記負荷付与駆動部による負荷を変化させることが好ましい。【０００８】
また、前記問題は、使用者に認知機能への負荷トレーニングを行わせ、使用者の脳血流量を高めるための認知機能への負荷トレーニング用問題セットを有することが好ましい。【０００９】
また、前記使用者が着座した状態で有酸素運動を行うためのシート部を有し、前記シート部は、肘掛けを有することが好ましい。また、所定の前記使用者を識別可能な指紋認証装置を有することが好ましい。また、前記使用者に対して芳香を放つ芳香放出部を有することが好ましい。【００１０】
また、前記使用者が着座した状態で有酸素運動を行うためのシート部を有し、前記シート部は、スライドレールに対して移動可能に前記スライドレールに支持され、前記スライドレールに対する移動／固定の切換えを行う切換え部材を有することが好ましい。
【発明の効果】
【００１１】
本発明によれば、有酸素運動中に積極的に思考を行わせて、認知機能への負荷トレーニングを行い、脳血流量を高めることで、認知機能の低下を抑制する有酸素運動補助装置を提供することを目的とする。
【図面の簡単な説明】
【００１２】
【図１】本発明の実施形態による有酸素運動補助装置１を示す概略図である。
【図２】本発明の実施形態による有酸素運動補助装置１を示すブロック図である。
【図３】本発明の実施形態による有酸素運動補助装置１のタッチパネル１３１に表示される問題の一例を示す図。
【図４】本発明の実施形態による有酸素運動補助装置１のタッチパネル１３１に表示される問題の他の例を示す図。
【図５】本発明の実施形態による有酸素運動補助装置１が用いられて長期間にわたって行われる認知機能への負荷付与プログラムの全体の流れを示すフローチャートである。
【図６Ａ】本発明の実施形態による有酸素運動補助装置１が用いられて長期間にわたって行われる認知機能への負荷付与プログラムにおける、１日（１回）のトレーニングの流れの前半部分を示すフローチャートである。
【図６Ｂ】本発明の実施形態による有酸素運動補助装置１が用いられて長期間にわたって行われる認知機能への負荷付与プログラムにおける、１日（１回）のトレーニングの流れの後半部分を示すフローチャートである。
【発明を実施するための形態】
【００１３】
以下、本発明の実施形態について図１〜図６Ｂに基づき説明する。有酸素運動補助装置１は、エルゴメータにより構成されており、本体前部１０と、本体後部５０と、負荷付与駆動部としてのペダル駆動部１１０及び電機装置１２０と、入出力部としてのタッチパネル１３１と、動作制御装置１３５と、シート部５１０と、を有している。ペダル駆動部１１０は、本体前部１０に支持されている。また、電機装置１２０は、本体前部１０に収容されている。シート部５１０は、本体後部５０の上部に配置されている。本体後部５０は、本体前部１０に固定されたスライドレール１０１に支持されている。本体後部５０は、スライドレール１０１に案内されることにより、本体前部１０に対して離間／接近可能、即ち、図１の右方向／左方向へ移動可能である。本体前部１０の上部は、上方へ延びる上方延出部１０２を有しており、上方延出部１０２の延出端部は、水平なテーブル状部１０３により構成されている。
【００１４】
タッチパネル１３１よりも本体後部５０寄りのテーブル状部１０３の上面には、指紋認証装置（図示せず）が設けられている。指紋認証装置（図示せず）は、制御装置部１３６に電気的に接続されており、使用者の指紋を指紋認証装置に接触させることにより、所定の使用者を識別可能である。これにより、複数の使用者によって有酸素運動補助装置１が使用される場合に、過去に所定の使用者が有酸素運動補助装置１を使用した際の当該使用者の「級」等を、誤って他の使用者に対して実行する等の間違いを防止する。
【００１５】
本体後部５０の上部に配置されたシート部５１０は、本体後部５０に対して上下方向へ移動可能である。より具体的には、本体後部５０の上部には、スライドレール（図示せず）が設けられており、シート部５１０は、スライドレール（図示せず）に支持されている。シート部５１０は、スライドレール（図示せず）に案内されることにより、本体前下方向／後上方向、即ち、図１の左下方向／右上方向へ接近可能である。即ち、使用者がペダル駆動部１１０の後述のペダル１１１を漕ぐ際に、使用者がペダル１１１に対して離れ過ぎていると感じた場合には、使用者は、シート部５１０をスライドレール（図示せず）に対して図１の左下方向へ移動させるとともに、本体後部５０をスライドレール１０１に対して図１の左方向へ移動させて、シート部５１０をペダル１１１に対して接近させる。逆に、使用者がペダル１１１を漕ぐ際に、使用者がペダル１１１に対して近すぎると感じた場合には、使用者は、シート部５１０をスライドレール（図示せず）に対して図１の右上方向へ移動させるとともに、本体後部５０をスライドレール１０１に対して図１の右方向へ移動させて、シート部５１０をペダル１１１に対して離間させる。
【００１６】
シート部５１０は、切換え部材としてのスライドロックレバー５１１を有している。シート部５１０に座っている使用者がスライドロックレバー５１１を手で把持して引くことにより、スライドレール（図示せず）に対してシート部５１０が移動可能となり、使用者がスライドロックレバー５１１を手から放すことにより、スライドレール（図示せず）に対してシート部５１０が固定されるように、スライドロックレバー５１１は、前記スライドレールに対するシート部５１０の移動／固定の切換えを行うことができるように構成されている。
【００１７】
シート部５１０は、使用者がペダル１１１を漕ぐことにより使用者が着座した状態で有酸素運動を行うように構成されている。シート部５１０は、座面構成部５１２と肘掛け５１３を有している。座面構成部５１２は、本体後部５０に設けられたスライドレール（図示せず）に接続されている。肘掛け５１３は、使用者がペダル１１１を漕ぐ際には、シート部５１０の座面構成部５１２から前方へ延びている。肘掛け５１３の一端部は、座面構成部５１２に回動可能に支承されている。従って、肘掛け５１３は、使用者がこれから座面構成部５１２に着座しようとする際には、回動されて、座面構成部５１２から上方へ延びている状態とされる。使用者が着座した後には、肘掛け５１３は、反対方向へ回動されて、座面構成部５１２から前方へ延びている状態とされる。この状態とされることにより、使用者が座面構成部５１２に腰掛けた状態から落下することを防止する。
【００１８】
ペダル駆動部１１０は、一対のペダル１１１と、ペダル軸１１２と、ペダルプーリー１１３とを有している。なお、図１においては、ペダル１１１は１つのみ現われている。一対のペダル１１１は、ペダル軸１１２を回転軸として、本体前部１０に対して回転可能に本体前部１０に支持されている。ペダルプーリー１１３は、ペダル軸１１２と一体回転可能にペダル軸１１２に固定されている。電機装置１２０は、回転軸１２１と、回転軸プーリ１２２と、電動発電機１２５（図２参照）と、を有している。ペダルプーリー１１３と回転軸プーリ１２２とには、これらをかけ渡すように、無端状のベルト１２４が巻き付けられている。
【００１９】
図２に示すように、電機装置１２０において回転軸１２１に歯車等の駆動連結部を介して連結された電動発電機１２５は、動作制御装置１３５と電気的に接続されている。動作制御装置１３５は、制御部としての制御装置部１３６と、制御装置部１３６に電気的に接続された入出力部としてのタッチパネル１３１と、を有するモニタ一体型コンピュータにより構成されている。制御装置部１３６は、プログラムや後述する問題等の情報を記憶している記憶部（ＲＡＭ及びＲＯＭ（図示せず））と、記憶部が記憶している情報に基づいて演算処理を行う演算部（ＣＰＵ（図示せず））とを有している。タッチパネル１３１は、使用者に対して出題する問題を表示して出力したり、使用者が各種の設定情報や、出題された問題に対する回答を入力したりするために用いられる。動作制御装置１３５は、タッチパネル１３１において入力した設定情報や問題の解答に基づいて電機装置１２０の動作を制御する。
【００２０】
タッチパネル１３１を有する動作制御装置１３５は、本体前部１０の上方延出部１０２の水平なテーブル状部１０３に設けられたスライドレール（図示せず）に支持されている。動作制御装置１３５は、スライドレール（図示せず）に案内されることにより、前方向（図１の左方向）／後方向（図１の右方向）へ移動可能である。即ち、使用者がタッチパネル１３１から離れ過ぎていると感じた場合には、使用者は、動作制御装置１３５をスライドレール（図示せず）に対して図１の右方向へ移動させて、シート部５１０に着座している使用者に対してタッチパネル１３１を接近させる。逆に、使用者がタッチパネル１３１に対して近すぎると感じた場合には、使用者は、動作制御装置１３５をスライドレール（図示せず）に対して図１の左方向へ移動させて、シート部５１０に着座している使用者に対してタッチパネル１３１を離間させる。
【００２１】
タッチパネル１３１には、ペダル１１１の回転速度や、各種の入力用のボタン、例えば、緊急停止ボタン等や、使用者へのメッセージ、情報等、例えば、使用者の心拍数、ペダル１１１の回転数、後述するタスクの残り時間等が表示される。また、タッチパネル１３１は、使用者がペダル１１１を漕ぐことにより有酸素運動を行っている間に、制御装置部１３６（図２参照）による制御によって、タッチパネル１３１の一部を構成するタスク表示部に問題を表示して、使用者に対して問題を出題する。また、タッチパネル１３１は、使用者による、タッチパネル１３１に表示された問題の一部へのタッチにより、使用者からの問題に対する回答を入力し、当該回答についての情報を制御装置部１３６へ電気信号として出力する。
【００２２】
タッチパネル１３１に表示される問題は、使用者認知機能への負荷トレーニングを行わせ、使用者の脳血流量を高めるための認知機能への負荷トレーニング用問題セットを有している。具体的には、制御装置部１３６の記憶部（ＲＯＭ）には、後述する日々のトレーニングにおいて、ペダル１１１を漕いで有酸素運動を行っている最中に、脳を使って思考して回答する問題のデータが記憶されている。
【００２３】
具体的な問題としては、例えば、数字の大小を短時間で判断する種類の問題や、タッチパネル１３１に短時間表示されたものが何であったかを記憶し回答する種類の問題や、タッチパネル１３１に表示された多数の立方体の個数を数えて回答する種類の問題等、記憶力や計算力等の思考力を活用して回答する複数の種類の問題が、制御装置部１３６の記憶部（ＲＯＭ）に、種類毎に分類されて多数記憶されている。そして、これらの各種の問題については、それぞれ、初級、中級、上級、師範級のそれぞれの難易度の問題が、制御装置部１３６の記憶部（ＲＯＭ）に分類されて記憶されている。
【００２４】
タッチパネル１３１に表示される、数字の大小を短時間で判断する種類の問題の一例としては、例えば、図３に示すように、３行３列で９つ並べられた１桁の数字の中から、使用者が最大の数字を選んで回答するものを有している。使用者は、タッチパネル１３１に表示された９つの数字から、最大の数字であると判断した数字にタッチする。これにより、問題に対する回答の入力が行われる。
【００２５】
同様に、タッチパネル１３１に表示される、数字の大小を短時間で判断する種類の問題の他の一例としては、例えば、図４に示すように、２つの枠の中にそれぞれかけ算が記載され、２つの枠のうちから、枠内の積の値が小さい方の枠を使用者が選んで回答するものを有している。使用者は、タッチパネル１３１に表示された２つの枠のうちから、積の値が小さいと判断した枠を選ぶか、又は、枠下の矢印を選び、タッチする。これにより、問題に対する回答の入力が行われる。
【００２６】
問題が出題されてから、即ち、問題がタッチパネル１３１に表示されてから、使用者がタッチパネル１３１にタッチして回答するまでの間の時間は、制御装置部１３６によって測定される。問題を解答できる最大時間は、各種類それぞれ９０秒である。即ち、使用者は、９０秒間に、一つの種類、例えば、数字の大小を短時間で判断する種類の問題をできるだけ多く回答する。各種類における最初の問題がタッチパネル１３１に表示されてから、９０秒を経過すると、使用者による回答の有無に関わらず、問題の表示が他の種類の最初の問題に切り替わる。また、問題の正答数及び誤答数は、制御装置部１３６の記憶部に記憶され、各種類の問題が修了する毎に、制御装置部１３６によって正答率が算出される。
【００２７】
動作制御装置１３５は、ペダル１１１が回転しにくくなるように、電機装置１２０に対して制御して、ペダル１１１を回転させる使用者に対して負荷を与える。即ち、電機装置１２０、回転軸１２１及び回転軸プーリ１２２、無端状のベルト１２４、ペダルプーリー１１３、ペダル軸１１２、一対のペダル１１１は、使用者の足等の動きに対して抵抗するように、使用者の足等へ継続して負荷を与えるように電動発電機１２５を駆動する。これにより、ペダル１１１を回転させる使用者は、使用者の足等を継続して動かすことにより行われる有酸素運動を行う。即ち、電機装置１２０の電動発電機１２５は、負荷を与える際に発電機として動作する。電機装置１２０による負荷の大きさは、動作制御装置１３５による電機装置１２０に対する、電機装置１２０による負荷を変化させる制御により、電機装置１２０の内部抵抗の大きさを変化させて、変化させることが可能である。
【００２８】
この内部抵抗の大きさの変化は、使用者によるタッチパネル１３１からの入力により、所定の値に設定可能である。また、内部抵抗の大きさの変化は、制御装置部１３６による電機装置１２０に対する制御によっても行われる。即ち、制御装置部１３６は、使用者による問題の回答の正答率、及び、使用者による問題の解答のタイミングに基づき、負荷付与駆動部としての電機装置１２０による負荷を変化させる制御を電機装置１２０に対して行う。具体的には、使用者がタッチパネル１３１に表示された一つの種類の問題を一通り回答し終わったタイミングで、制御装置部１３６は、算出した正答率に基づいて、内部抵抗の大きさを大きくしたり、小さくしたりして変化させる制御を、電機装置１２０に対して行う。また、体力が著しく低下した患者が有酸素運動補助装置１を使用する場合には、電機装置１２０の電動発電機１２５は、ペダル１１１等の回転に対して負荷を付与しているときに、一時的にペダル１１１の回転を補助する電動機として動作することも可能である。
【００２９】
タッチパネル１３１の上部は、使用者に対して芳香を放つ芳香放出部１３７を有している。芳香放出部１３７は、タッチパネル１３１の上部の筐体部分の前面及び後面に形成されたスリット状の開口部（図示せず）と、当該筐体部分の内部に設けられた芳香部（図示せず）とを有している。芳香部（図示せず）から放出される芳香が開口部（図示せず）から筐体の外部へ流出し、使用者へ到達する。使用者は、例えば、芳香を感じながら、リラックスした状態で有酸素運動を行う。
【００３０】
次に、有酸素運動補助装置１を用いて行う、認知機能への負荷トレーニングのための認知機能への負荷付与プログラムの全体の流れについて説明する。以下の流れの説明においては、有酸素運動補助装置１の制御装置部１３６による制御を中心に説明する。以下の流れにおいては、安全面から、使用者は、単独で有酸素運動補助装置１を使用せず、トレーナーにより補助されながら、有酸素運動補助装置１を使用する。
【００３１】
先ず、有酸素運動補助装置１を導入し、有酸素運動補助装置１を使用者が使用開始し始めてから、６か月以上の長い期間にわたって継続して使用する、継続した長期的な全体の流れについて説明する。使用者が有酸素運動補助装置１を初めて使用する際には、先ず、使用者は、有酸素運動補助装置１の電源を立上げる。すると、タッチパネル１３１に対する制御装置部１３６による制御により、有酸素運動補助装置１にＩＤ登録を未だしていない使用者向けの体験用ボタンと、既に、ＩＤ登録を済ませた使用者向けの実践用ボタンと、ＩＤ登録用ボタンと、終了ボタンとが、タッチパネル１３１上に表示される選択画面が、タッチパネル１３１上に表示される。
【００３２】
体験用ボタンが使用者によりタッチされると（Ｓ１１：ＹＥＳ）、制御装置部１３６による処理は、Ｓ１４へ進む。体験用ボタンが使用者によりタッチされず、ＩＤ登録用ボタンがタッチされると（Ｓ１１：ＮＯ、Ｓ１２：ＹＥＳ）、制御装置部１３６による処理は、Ｓ１７へ進む。体験用ボタンが使用者によりタッチされず、且つ、ＩＤ登録用ボタンもタッチされず、実践用ボタンがタッチされると（Ｓ１１：ＮＯ、Ｓ１２：ＮＯ、Ｓ１３：ＹＥＳ）、制御装置部１３６による処理は、Ｓ２３へ進む。
【００３３】
Ｓ２３において、制御装置部１３６は、ログインの制御行う。具体的には、タッチパネル１３１に、使用者のＩＤ及びログインパスワードの入力欄が表示される。使用者は、使用者のＩＤの入力欄に使用者ＩＤを入力し、ログインパスワードの入力欄に使用者のログインパスワードを入力する。これにより、制御装置部１３６による処理は、Ｓ２２へ進む。
【００３４】
Ｓ１４において、制御装置部１３６は、有酸素運動補助装置１におけるプレ準備をする制御を行う。プレ準備では、有酸素運動補助装置１を初めて使う使用者のために、実際に、有酸素運動補助装置１を使って行う、認知機能への負荷トレーニングを体験できるように、制御装置部１３６は、タッチパネル１３１に問題を表示するようにタッチパネル１３１に対して制御を行う。これにより、使用者は、ペダル１１１を漕いで有酸素運動を行いながら、問題の回答を行うことが可能である。そして、制御装置部１３６による処理は、Ｓ１５へ進む。
【００３５】
Ｓ１５では、制御装置部１３６は、タッチパネル１３１上のＩＤ登録用ボタンがタッチされたか否かの判断を行う。ＩＤ登録用ボタンがタッチされたと制御装置部１３６が判断した場合には、制御装置部１３６による処理は、Ｓ１７へ進む。ＩＤ登録用ボタンがタッチされていないと制御装置部１３６が判断した場合には、制御装置部１３６による処理は、Ｓ１６へ進む。
【００３６】
Ｓ１６では、制御装置部１３６は、タッチパネル１３１上の終了ボタンがタッチされたか否かの判断を行う。終了ボタンがタッチされたと制御装置部１３６が判断した場合には、制御装置部１３６による処理は終了する。ＩＤ登録用ボタンがタッチされていないと制御装置部１３６が判断した場合には、制御装置部１３６による処理は、Ｓ１１へ戻る。
【００３７】
Ｓ１７では、制御装置部１３６は、ＩＤ登録のための画面をタッチパネル１３１上に表示するように、タッチパネル１３１に対して制御を行う。これに対して使用者を補助するトレーナーは、ログインパスワードや使用者の指紋情報等、ＩＤ登録に必要な情報を、タッチパネル１３１から入力する。トレーナーによる必要な情報の入力が完了すると、制御装置部１３６による処理は、Ｓ１８へ進む。
【００３８】
Ｓ１８では、制御装置部１３６は、使用者に対して別途行われた認知症の度合いを検査するテストの結果を、タッチパネル１３１から入力するか否かの判断を行う。より具体的には、制御装置部１３６は、タッチパネル１３１にテストの入力結果が入力されたか、それとも、タッチパネル１３１に表示された入力不要のボタンがタッチされたか、の判断を行う。タッチパネル１３１にテストの入力結果が入力された場合には（Ｓ１８：ＹＥＳ）、制御装置部１３６による処理は、Ｓ１９へ進む。使用者に対する認知症の度合いを検査するテストは、６ヶ月に１回程度の頻度で行なわれ、タッチパネル１３１へのテストの結果の入力についても、６ヶ月に１回程度の頻度で行なわれる。タッチパネル１３１に表示された入力不要のボタンがタッチされた場合には（Ｓ１８：ＮＯ）、制御装置部１３６による処理は、Ｓ２０へ進む。Ｓ１９では、制御装置部１３６は、タッチパネル１３１に入力された、テストの入力結果を記憶部に記憶する。そして、制御装置部１３６による処理は、Ｓ２０へ進む。
【００３９】
Ｓ２０では、制御装置部１３６は、３０日に１回程度の頻度で、記憶部に予め記憶されている認知運動テストをタッチパネル１３１に表示するように、タッチパネル１３１に対して制御を行う。従って、認知運動テストをタッチパネル１３１に表示しない日には、制御装置部１３６の処理は、Ｓ２０及びＳ２１を飛ばしてＳ２２へ進む。認知運動テストは、例えば、記憶障害を検査するテストと、注意遂行機能を検査するテストと、処理速度を検査するテストと、視空間認知を検査するテストと、の４種類を有している。
【００４０】
記憶障害を検査するテストは、例えば、それぞれ所定時間の短時間にタッチパネル１３１に次々と表示された単語を使用者が記憶し、最後に、今まで表示された単語を、多数の単語が表示された表中から選択する、といったテストを有している。注意遂行機能を検査するテストは、例えば、タッチパネル１３１にランダムに表示された複数の数字と複数の平仮名を、数字の小さい順に、且つ、あいうえお順に、数字と平仮名とを、使用者が交互にタッチするテストを有している。処理速度を検査するテストは、例えば、タッチパネル１３１に表示された複数の形状の中から、別途指定された形状を所定時間で選択して回答するテストを有している。視空間認知を検査するテストは、複数の形状が組み合わせられて構成された基準形状がタッチパネル１３１に表示され、これと同一のものを、複数の選択肢の中から選択するテストを有している。タッチパネル１３１に表示される複数の選択肢は、基準形状に対して向きが変えられて表示される。使用者による認知運動テストが修了すると、制御装置部１３６は、認知運動テストの結果を記憶部に記憶する。そして、制御装置部１３６による処理は、Ｓ２１へ進む。
【００４１】
Ｓ２１では、制御装置部１３６は、Ｓ１８、Ｓ１９においてタッチパネル１３１から入力され記憶部に記憶された認知症の度合いを検査するテストの結果と、Ｓ２０において記憶部に記憶された認知運動テストの結果に基づいて、予め制御装置部１３６の記憶部に記憶されている多数の問題の中から適宜問題を選択する。これにより、制御装置部１３６は、使用者が１日に１回程度行う１回の認知機能への負荷トレーニングで用いられる問題のセットを作成する。作成された問題のセットは、記憶部に記憶される。そして、制御装置部１３６による処理は、Ｓ２２へ進む。
【００４２】
Ｓ２２では、制御装置部１３６は、使用者が１日に１回程度行う認知機能への負荷トレーニングを行うことができるように、電機装置１２０及びタッチパネル１３１に対して制御を行う。具体的には、Ｓ２２では、図６Ａに示すＳ１０１以降の制御が行われる。先ず、制御装置部１３６は、Ｓ１０１において、使用者がウォーミングアップを行うことができるように、電機装置１２０に対して制御を行う。ウォーミングアップでは、後述する認知機能への負荷トレーニングにおいて、実際に使用者がタッチパネル１３１の表示を見ながらペダル１１１を漕ぐことにより、使用者がペダル１１１を漕ぐ速さを体感できるように構成されている。タッチパネル１３１には、使用者がペダル１１１を漕ぐ速度が速すぎる場合には、速すぎる旨が表示され、使用者がペダル１１１を漕ぐ速度が遅すぎる場合には、遅すぎる旨が表示される。使用者は、これらの表示を参考にして、ペダル１１１を漕ぐ速度を調整し、適切なペダル１１１を漕ぐ速度を体感する。ペダル１１１における負荷は、制御装置部１３６により例えば２０Ｗに制御される。そして、制御装置部１３６による処理は、Ｓ１０２へ進む。
【００４３】
Ｓ１０２では、制御装置部１３６は、これ以降に使用者が１回行う運動プログラムの認知機能への負荷トレーニングを構成する６種類のタスクの概要を、タッチパネル１３１に表示するように、タッチパネル１３１に対して制御を行う。具体的には、６種類のタスクの内容の概要や、６種類のタスクの順番や、各タスクにおける「級」や、使用者が各タスクをこなすのに要する時間等が表示される。そして、制御装置部１３６による処理は、Ｓ１０３へ進む。
【００４４】
Ｓ１０３では、制御装置部１３６は、１種類目のタスクを実行する制御を、電機装置１２０及びタッチパネル１３１に対して行う。具体的には、使用者は、ウォーミングアップで体感したペダル１１１の速度を参考にして、ペダル１１１を漕ぎながら、タッチパネル１３１を操作して、１種類目のタスクにおいて表示される問題に対して回答する。１種類目のタスクにおける問題としては、例えば、前述の図３に示すような、３行３列で９つ並べられた１桁の数字の中から、使用者が最大の数字を選んで回答するものが、タッチパネル１３１に表示される。使用者は、タッチパネル１３１に表示された９つの数字から、最大の数字であると判断した数字にタッチする。これにより、問題に対する回答の入力が行われる。このような問題を使用者は、９０秒間により多く回答する。問題の正答率は、制御装置部１３６の記憶部に記憶される。そして、制御装置部１３６による処理は、Ｓ１０４へ進む。
【００４５】
Ｓ１０４では、制御装置部１３６は、Ｓ１０３において、制御装置部１３６の記憶部に記憶された正答率が５０％以上であるか否かの判断を行う。制御装置部１３６の記憶部に記憶された正答率が５０％以上の場合には、制御装置部１３６による処理は、Ｓ１０５へ進む。制御装置部１３６の記憶部に記憶された正答率が５０％未満の場合には、制御装置部１３６による処理は、Ｓ１０６へ進む。
【００４６】
Ｓ１０５では、制御装置部１３６は、次に実行する２種類目のタスクにおけるペダル１１１における負荷を、Ｓ１０３の１種類目のタスクにおけるペダル１１１における負荷に対して５Ｗ増加させる制御を、電機装置１２０に対して行う。そして、制御装置部１３６による処理は、Ｓ１０７へ進む。一方、Ｓ１０６では、制御装置部１３６は、次に実行する２種類目のタスクにおけるペダル１１１における負荷を、Ｓ１０３の１種類目のタスクにおけるペダル１１１における負荷に対して５Ｗ減少させる制御を、電機装置１２０に対して行う。そして、制御装置部１３６による処理は、Ｓ１０７へ進む。ペダル１１１の負荷を増加させるか、又は、減少させるのは、使用者による１種類目の問題を全て回答したタイミングに基づく。より詳細には、１種類目の問題を全て回答し終えた直後に、ペダル１１１の負荷を増加させるか、又は、減少させる制御を、制御装置部１３６は、電機装置１２０に対して行う。
【００４７】
Ｓ１０７では、制御装置部１３６は、２種類目のタスクを実行する制御を電機装置１２０及びタッチパネル１３１に対して行う。具体的には、２種類目のタスクにおける問題としては、例えば、じゃんけんで勝つ（又は負ける）ように回答するものがタッチパネル１３１に表示される。使用者は、タッチパネル１３１に表示されたじゃんけんの１つの種類に対して、勝つ（又は負ける）ものをじゃんけんの３つの種類から選択し、タッチする。これにより、問題に対する回答の入力が行われる。このような問題を使用者は、９０秒間により多く回答する。問題の正答率は、制御装置部１３６の記憶部に記憶される。そして、制御装置部１３６による処理は、Ｓ１０８へ進む。
【００４８】
Ｓ１０８では、制御装置部１３６は、Ｓ１０７において、制御装置部１３６の記憶部に記憶された正答率が５０％以上であるか否かの判断を行う。制御装置部１３６の記憶部に記憶された正答率が５０％以上の場合には、制御装置部１３６による処理は、Ｓ１０９へ進む。制御装置部１３６の記憶部に記憶された正答率が５０％未満の場合には、制御装置部１３６による処理は、Ｓ１１０へ進む。
【００４９】
Ｓ１０９では、制御装置部１３６は、次に実行する３種類目のタスクにおけるペダル１１１における負荷を、Ｓ１０７の２種類目のタスクにおけるペダル１１１における負荷に対して５Ｗ増加させる制御を、電機装置１２０に対して行う。そして、制御装置部１３６による処理は、Ｓ１１１へ進む。一方、Ｓ１１０では、制御装置部１３６は、次に実行する３種類目のタスクにおけるペダル１１１における負荷を、Ｓ１０７の２種類目のタスクにおけるペダル１１１における負荷に対して５Ｗ減少させる制御を、電機装置１２０に対して行う。そして、制御装置部１３６による処理は、Ｓ１１１へ進む。ペダル１１１の負荷を増加させるか、又は、減少させるのは、使用者による２種類目の問題を全て回答したタイミングに基づく。より詳細には、２種類目の問題を全て回答し終えた直後に、ペダル１１１の負荷を増加させるか、又は、減少させる制御を、制御装置部１３６は、電機装置１２０に対して行う。
【００５０】
以下、Ｓ１１１〜Ｓ１１４において制御装置部１３６は、上述のＳ１０３〜Ｓ１０６や、Ｓ１０７〜Ｓ１１０と同様に、３種類目のタスクについての制御を行う。また、Ｓ１１５〜Ｓ１１８において制御装置部１３６は、上述のＳ１０３〜Ｓ１０６や、Ｓ１０７〜Ｓ１１０と同様に、４種類目のタスクについての制御を行う。また、Ｓ１１９〜Ｓ１２２において制御装置部１３６は、上述のＳ１０３〜Ｓ１０６や、Ｓ１０７〜Ｓ１１０と同様に、５種類目のタスクについての制御を行う。
【００５１】
そして、Ｓ１２３では、制御装置部１３６は、６種類目のタスクを実行する制御を電機装置１２０及びタッチパネル１３１に対して行う。具体的には、６種類目のタスクにおける問題としては、例えば、前述の図４に示すような、２つの積のうちから小さい方を選んで回答するものがタッチパネル１３１に表示される。使用者は、２つの積のうちから小さい方であると判断した方をタッチする。これにより、問題に対する回答の入力が行われる。このような問題を使用者は、９０秒間により多く回答する。問題の正答率は、制御装置部１３６の記憶部に記憶される。そして、制御装置部１３６による処理は、Ｓ１２４へ進む。
【００５２】
Ｓ１２４では、制御装置部１３６は、使用者にクールダウンをさせる制御を電機装置１２０及びタッチパネル１３１に対して行う。ペダル１１１における負荷は、制御装置部１３６により、例えば２０Ｗに制御され、使用者は、タッチパネルに表示された、問題の解答についての結果のレーダーチャートを見ながら、ペダル１１１を所定時間漕いで、クールダウンを行う。制御装置部１３６は、各種類のタスク毎に、２回続けて（前日と本日２日連続で）使用者による正答率が７０％を超えている場合には、当該種類のタスクを次回（翌日）行う際の問題の級を１つ上げる旨を、記憶部に記憶する。逆に、２回続けて（前日と本日２日連続で）使用者による正答率が３０％を下回っている場合には、当該種類のタスクの問題を次回（翌日）行う際の、問題の級を１つ下げる旨を、記憶部に記憶する。そして、制御装置部１３６は、制御を修了する。
【００５３】
以上のＳ１０１〜Ｓ１２４について、毎日１回行われ、１ヶ月に１回、Ｓ２０の認知運動テストが実施されるとともに、Ｓ２１において、向こう１ヶ月使用者が１日に１回程度行う１回の認知機能への負荷トレーニングで用いられる問題のセットが作成される。また、６ヶ月に１回、使用者に対して別途行われた認知症の度合いを検査するテストの結果が、Ｓ１９においてタッチパネル１３１から入力される。Ｓ２１における問題のセットの作成は、このＳ１９において入力されたテストの結果が加味される。
【００５４】
上記構成の本実施形態による有酸素運動補助装置１によれば、以下のような効果を得ることができる。
有酸素運動補助装置１は、使用者の身体の一部又は全体を継続して動かすことにより行われる有酸素運動を使用者に行わせるために、身体の一部又は全体の動きに対して抵抗するように、身体の一部又は全体へ継続して負荷を与えるように駆動する負荷付与駆動部としての電機装置１２０と、負荷付与駆動部による負荷を変化させる制御を負荷付与駆動部に対して行う制御部を構成する制御装置部１３６と、使用者が有酸素運動を行っている間に、制御部による制御により、使用者に対して問題を出題し、使用者からの問題に対する回答を入力する入出力部としてのタッチパネル１３１と、を備える。制御装置部１３６は、使用者による問題の回答の正答率、及び、使用者による問題の解答のタイミングに基づき、電機装置１２０による負荷を変化させる制御を電機装置１２０に対して行う。
【００５５】
この構成により、ペダル１１１を漕ぐことにより有酸素運動を行いながら、問題を回答することにより、記憶力及び思考力を駆使することができる。即ち、有酸素運動中に積極的に記憶及び思考を行い、認知機能への負荷トレーニングを行うことができ、脳血流量を高めることができる。この結果、昨今着目されているデュアルタスク遂行能力、即ち、様々な刺激に対して同時に注意を分配しながら動作を遂行する能力を、積極的に鍛えることができ、デュアルタスク遂行能力の低下を抑制することができ、認知機能の低下を抑制することができる。
【００５６】
また、負荷付与駆動部としての電機装置１２０、及び、制御部としての制御装置部１３６は、エルゴメータを構成する。この構成により使用者は、容易に、家庭において、有酸素運動を行いながら、問題を回答して、記憶力及び思考力を駆使することができる。
【００５７】
また、制御部としての制御装置部１３６は、使用者が問題に対して所定の正答率で回答した直後に、負荷付与駆動部としての電機装置１２０による負荷を変化させる。この構成により、一連の多数の種類の問題を解いて回答している途中で、種類毎に正答率を算出して、問題の種類が切り替わるタイミングで、電機装置１２０によるペダル１１１の負荷を切換えることができる。これにより、使用者は、予期せぬペダル１１１の負荷の変化に対して対応するように、ペダル１１１を漕ぐ力を切換えることで、今までとは異なる運動能力を発揮しなければならなくなる。この結果、所定の運動パターンで運動する場合に生じる、当該所定の運動パターンに対する慣れによる脳血流量の低下を回避することができる。
【００５８】
また、問題は、使用者認知機能への負荷トレーニングを行わせ、使用者の脳血流量を高めるための認知機能への負荷トレーニング用問題セットを有する。この構成により、使用者は、ペダル１１１を漕いで有酸素運動をしている最中に、問題を解いて回答することで、効率よく思考力及び記憶力を発揮することができ、認知機能への負荷トレーニングを行うことができ、脳血流量を高めることができる。
【００５９】
また、使用者が着座した状態で有酸素運動を行うためのシート部５１０を有し、シート部５１０は、肘掛け５１３を有する。この構成により、座面構成部５１２に腰掛けた使用者が座面構成部５１２から落下することを防止することができる。
【００６０】
また、所定の使用者を識別可能な指紋認証装置を有することが好ましい。この構成により、複数の使用者によって有酸素運動補助装置１が使用される場合に、過去に所定の使用者が使用した際の当該使用者に関する「級」等の情報を、誤って他の使用者に対して実行する等提供することを防止することができる。
【００６１】
また、使用者に対して芳香を放つ芳香放出部１３７を有する。この構成により、芳香の種類を変えることにより、使用者は、例えば、芳香を感じながらリラックスした状態で、又は、芳香を感じながら集中した状態で、有酸素運動を行うことができる。
【００６２】
また、使用者が着座した状態で有酸素運動を行うためのシート部５１０を有する。シート部５１０は、スライドレールに対して移動可能にスライドレールに支持され、スライドレールに対する移動／固定の切換えを行う切換え部材としてのスライドロックレバー５１１を有する。この構成により、使用者が着座した状態で、スライドレールに対するシート部５１０の移動／固定の切換えを行うことができる。このため、高齢者がホームユースで有酸素運動補助装置を使用する場合であっても、使用者の転倒のリスクを抑えて、一人でスライドレールに対してシート部５１０を移動させ、最適なシート部５１０の位置として、シート部５１０に着座することができる。また、着座している使用者が一人でスライドレールに対してシート部５１０を移動させ、シート部５１０から下りることができる。
【００６３】
本発明は、上述した実施形態に限定されることはなく、特許請求の範囲に記載された技術的範囲において変形が可能である。例えば、本実施形態においては、有酸素運動は、エルゴメータにより構成される有酸素運動補助装置１のペダル１１１を漕ぐことにより、主として下半身を継続して動かすことにより行われたが、これに限定されない。有酸素運動は、使用者の身体の一部又は全体を継続して動かすことにより行われればよい。
【００６４】
また、本実施形態では、１種類目のタスクにおける複数の問題を、使用者が全て回答した時点で１種類目のタスクにおける正答率を算出し、算出した正答率に基づいて、次に実行する２種類目のタスクにおけるペダル１１１における負荷を、Ｓ１０３の１種類目のタスクにおけるペダル１１１における負荷に対して５Ｗ増加させる制御を、電機装置１２０に対して行ったが、これに限定されない。
【００６５】
即ち、制御部は、使用者による問題の回答の正答率、及び、使用者による問題の解答のタイミングに基づき、負荷付与駆動部による負荷を変化させればよい。例えば、問題を１問回答する毎に、今まで回答した問題についての正答率を算出し、正答率を算出する毎に正答率が所定の値以上か否かの判断を行ってもよい。そして、所定の値以上であれば、当該問題を回答した直後に、ペダル１１１における負荷を、所定量増加させる制御を、電機装置１２０に対して行い、所定の値未満であれば、当該問題を回答した直後に、ペダル１１１における負荷を、所定量減少させる制御を、電機装置１２０に対して行ってもよい。
【００６６】
また、本実施形態では、１つの種類のタスクにおける問題の正答率が所定の値である５０％以上の場合には、次の種類のタスクにおける問題を使用者が回答している際のペダル１１１の負荷を増加させ、正答率が所定の値である５０％未満の場合には、次の種類のタスクにおける問題を使用者が回答している際のペダル１１１の負荷を減少させたが、これに限定されない。例えば、正答率が所定の値である５０％以上の場合には、ペダル１１１の負荷を減少させ、正答率が所定の値である５０％未満の場合には、ペダル１１１の負荷を増加させてもよい。
【００６７】
また、本実施形態では、本体後部５０は、スライドレール１０１に案内されることにより、本体前部１０に対して離間／接近可能であり、また、シート部５１０は、スライドレール（図示せず）に案内されることにより、本体後部５０に対して上下方向へ移動可能であり、また、タッチパネル１３１を有する動作制御装置１３５は、スライドレール（図示せず）に案内されることにより、前方向／後方向へ移動可能であり、これらは、手動により移動可能であったが、この構成に限定されない。例えば、これらの移動を電動として、使用者のＩＤ登録の際に、使用者の本体後部５０、シート部５１０、及び、動作制御装置１３５の使用時の位置を、制御装置部１３６において記憶してもよい。そして、使用者がログインすることにより、本体後部５０、シート部５１０、及び、動作制御装置１３５を、ログインした使用者について記憶されたこれらの位置に、自動的に移動させるようにしてもよい。
【００６８】
また、本実施形態では、Ｓ１９において、別途使用者に対して行われた認知症の度合いを検査するテストの結果が入力されたが、この構成に限定されない。例えば、制御装置部１３６の記憶部に、予め認知症の度合いを検査するテストが記憶され、当該テストがタッチパネル１３１に表示されて、使用者が当該テストに回答した結果を制御装置部１３６の記憶部に、記憶するようにしてもよい。
【００６９】
また、本実施形態では、制御装置部１３６は、各種類のタスク毎に、２回続けて（前日と本日２日連続で）使用者による正答率が７０％を超えている場合には、当該種類のタスクを次回（翌日）行う際の問題の級を１つ上げる旨を、記憶部に記憶した。逆に、２回続けて（前日と本日２日連続で）使用者による正答率が３０％を下回っている場合には、当該種類のタスクの問題を次回（翌日）行う際の、問題の級を１つ下げる旨を、記憶部に記憶したが、これに限定されない。
【００７０】
例えば、級について、初級、中級、上級、及び、師範級の４つに分けられるだけではなく、それぞれの級をＡ、Ｂ、Ｃの３つに細分化してもよい。そして、今回（本日）の正答率と、直近３回の正答率の平均と、に基づき、次回（翌日）行う際の問題の級を、以下のように決定してもよい。
【００７１】
例えば、使用者による初日の正答率が３０％以下（１００点満点で３０点以下）である場合には、当該種類のタスクの問題を次回（翌日）行う際の、問題の級を初級Ａとする。使用者による初日の正答率が３１％以上（１００点満点で３１点以上）７０％以下（１００点満点で７０点以下）である場合には、当該種類のタスクの問題を次回（翌日）行う際の、問題の級を中級Ａとする。使用者による初日の正答率が７１％以上（１００点満点で７１点以上）である場合には、当該種類のタスクの問題を次回（翌日）行う際の、問題の級を上級Ａとする。
【００７２】
そしてその後、例えば、本日において初級Ａである場合には、直近３回の正答率の平均が７０％以上（１００点満点で７０点以上）であれば、当該種類のタスクの問題を次回（翌日）行う際の、問題の級を初級のＢとする。
また、本日において中級Ａである場合には、直近３回の正答率の平均が７０％以上（１００点満点で７０点以上）であれば、当該種類のタスクの問題を次回（翌日）行う際の、問題の級を中級Ｂとし、直近３回の正答率の平均が３０％以下（１００点満点で３０点以下）であれば、当該種類のタスクの問題を次々回（翌々日）行う際の、問題の級を初級Ｃとする。
また、本日において上級Ａである場合には、直近３回の正答率の平均が７０％以上（１００点満点で７０点以上）であれば、当該種類のタスクの問題を次回（翌日）行う際の、問題の級を上級Ｂとし、直近３回の正答率の平均が３０％以下（１００点満点で３０点以下）であれば、当該種類のタスクの問題を次回（翌日）行う際の、問題の級を中級Ｃとする。
また、本日においては師範級Ａである場合には、直近３回の正答率の平均が７０％以上（１００点満点で７０点以上）であれば、当該種類のタスクの問題を次回（翌日）行う際の、問題の級を師範級Ｂとし、直近３回の正答率の平均が３０％以下（１００点満点で３０点以下）であれば、当該種類のタスクの問題を次回（翌日）行う際の、問題の級を上級Ｃとする。
【００７３】
また、例えば、本日においては初級Ｂである場合には、直近３回の正答率の平均が７０％以上（１００点満点で７０点以上）であれば、当該種類のタスクの問題を次回（翌日）行う際の、問題の級を初級Ｃとし、直近３回の正答率の平均が３０％以下（１００点満点で３０点以下）であれば、当該種類のタスクの問題を次回（翌日）行う際の、問題の級を初級Ａとする。
また、本日においては中級Ｂである場合には、直近３回の正答率の平均が７０％以上（１００点満点で７０点以上）であれば、当該種類のタスクの問題を次回（翌日）行う際の、問題の級を中級Ｃとし、直近３回の正答率の平均が３０％以下（１００点満点で３０点以下）であれば、当該種類のタスクの問題を次回（翌日）行う際の、問題の級を中級Ａとする。
また、本日において上級Ｂである場合には、直近３回の正答率の平均が７０％以上（１００点満点で７０点以上）であれば、当該種類のタスクの問題を次回（翌日）行う際の、問題の級を上級Ｃとし、直近３回の正答率の平均が３０％以下（１００点満点で３０点以下）であれば、当該種類のタスクの問題を次回（翌日）行う際の、問題の級を上級Ａとする。
また、本日においては師範級Ｂである場合には、直近３回の正答率の平均が７０％以上（１００点満点で７０点以上）であれば、当該種類のタスクの問題を次回（翌日）行う際の、問題の級を師範級Ｃとし、直近３回の正答率の平均が３０％以下（１００点満点で３０点以下）であれば、当該種類のタスクの問題を次回（翌日）行う際の、問題の級を師範級Ａとする。
【００７４】
また、例えば、本日においては初級Ｃである場合には、直近３回の正答率の平均が７０％以上（１００点満点で７０点以上）で且つテストの最高点が３１点以上であれば、当該種類のタスクの問題を次回（翌日）行う際の、問題の級を中級Ａとし、直近３回の正答率の平均が３０％以下（１００点満点で３０点以下）であれば、当該種類のタスクの問題を次回（翌日）行う際の、問題の級を初級Ｂとする。
また、本日においては中級Ｃである場合には、直近３回の正答率の平均が７０％以上（１００点満点で７０点以上）で且つテストの最高点が７１点以上であれば、当該種類のタスクの問題を次回（翌日）行う際の、問題の級を上級Ａとし、直近３回の正答率の平均が３０％以下（１００点満点で３０点以下）であれば、当該種類のタスクの問題を次回（翌日）行う際の、問題の級を中級Ｂとする。
また、本日において上級Ｃである場合には、直近３回の正答率の平均が７０％以上（１００点満点で７０点以上）で且つテストの最高点が８１点以上であれば、当該種類のタスクの問題を次回（翌日）行う際の、問題の級を師範級Ａとし、直近３回の正答率の平均が３０％以下（１００点満点で３０点以下）であれば、当該種類のタスクの問題を次回（翌日）行う際の、問題の級を上級Ｂとする。
また、本日においては師範級Ｃである場合には、直近３回の正答率の平均が３０％以下（１００点満点で３０点以下）であれば、当該種類のタスクの問題を次回（翌日）行う際の、問題の級を師範級Ｂとする。
【００７５】
また、有酸素運動補助装置の各部の構成は、本実施形態における有酸素運動補助装置１の各部の構成に限定されない。例えば、負荷の大きさの制御は、本実施形態の負荷の大きさの制御に限定されない。例えば、リストバンド型のセンサにより心拍数を検出し、検出した心拍数に基づいて、公知の方法、例えば、カルボーネン法やボルグ法（ＢＯＲＧ法）を用いて、負荷の大きさを制御してもよい。
また、本実施形態では、負荷付与駆動部としての電機装置１２０及び制御装置部１３６は、エルゴメータを構成したが、これに限定されない。例えば、負荷付与駆動部は、エルゴメータに代えてトレッドミルを構成してもよい。また、本実施形態では、有酸素運動補助装置１は、認知機能への負荷トレーニングのために用いられたが、これに限定されない。例えば、有酸素運動補助装置１は、児童の脳の発達及び体力増強のために、用いられてもよい。
【符号の説明】
【００７６】
１    有酸素運動補助装置
１１０    ペダル駆動部（負荷付与駆動部）
１２０    電機装置（負荷付与駆動部）
１３１    タッチパネル（入出力部）
１３６    制御装置部（制御部）
１３７    芳香放出部
５１０    シート部
５１１    スライドロックレバー（切換え部材）
５１３    肘掛け
【図１】
2016203664.tif 000003
【図２】
2016203664.tif 000004
【図３】
2016203664.tif 000005
【図４】
2016203664.tif 000006
【図５】
2016203664.tif 000007
【図６Ａ】
2016203664.tif 000008
【図６Ｂ】
2016203664.tif 000009
【国際調査報告】
2016203664.tif 000010
2016203664.tif 000011
2016203664.tif 000012
2016203664.tif 000013